(57)【要約】【課題】個人的な通信に近いデータ転送方法及び手段を提供する。【解決手段】本発明は、第１のデータ変換機（５）から少なくとも１つの第２のデータ変換機（６）にデータを転送する方法を提供し、その方法は、第１のデータ変換機から少なくとも１つの移動通信装置（７）にデータを転送する工程（８）を有し、その少なくとも１つの移動通信装置は該少なくとも１つの移動通信装置とユーザとの対話のためのユーザ・インターフェースを備え、少なくとも１つの移動通信装置から少なくとも１つの第２のデータ変換機にデータを転送する工程を有する。少なくとも１つの移動通信装置は、第１のデータ変換機と少なくとも１つの第２のデータ変換機との間に、ユーザに存在が気付かれない見えない通信経路が生成されるように、切り替えられる。本発明は、さらに移動通信装置の制御ソフトウェア、及び第１及び第２のデータ変換機を提供する。【選択図】図１
2009506711.tif 000002
【特許請求の範囲】
【請求項１】
第１のデータ変換機から少なくとも１つの移動通信装置にデータを転送する工程を有し、
その少なくとも１つの移動通信装置は、該少なくとも１つの移動通信装置とユーザとの対話のためのユーザ・インターフェースを備え、
前記少なくとも１つの移動通信装置から少なくとも１つの第２のデータ変換機にデータを転送する工程を有する、
前記第１のデータ変換機から前記少なくとも１つの第２のデータ変換機にデータを転送する方法であって、
前記データを転送するため、前記第１のデータ変換機と前記少なくとも１つの第２のデータ変換機との間にユーザに存在が気付かれない見えない通信経路が形成されるように、前記少なくとも１つの移動通信装置は切り替えられる
ことを特徴とするデータ転送方法。
【請求項２】
前記データの受信又は転送時に、前記見えない通信経路を提供するために前記ユーザ・インターフェースの活動化が回避されるように、前記少なくとも１つの移動通信装置は切り替えられることを特徴とする請求項１に記載のデータ転送方法。
【請求項３】
前記少なくとも１つの移動通信装置は、入力データ信号を受け取ったときに前記ユーザ・インターフェースを活動化させる初期化信号を生成するように構成されており、
前記少なくとも１つの移動通信装置は、前記第１のデータ変換機から前記データを受信したときに前記初期化信号の生成を省くように、切り替えられる
ことを特徴とする請求項２に記載のデータ転送方法。
【請求項４】
前記移動通信装置は、前記見えない通信経路を提供するために、前記データの受信又は送信時に、前記ユーザ・インターフェースの活動化が止められるように、切り替えられることを特徴とする請求項１に記載のデータ転送方法。
【請求項５】
前記ユーザ・インターフェースの前記活動化は、前記少なくとも１つの移動通信装置による前記データの受信時に、前記ユーザ・インターフェースのスイッチ・オフによって止められることを特徴とする請求項４に記載のデータ転送方法。
【請求項６】
前記少なくとも１つの移動通信装置は、入力データ信号を受け取ったときに前記ユーザ・インターフェースを活動化させる初期化信号を生成するように構成されており、
前記ユーザ・インターフェースの前記活動化は、前記ユーザ・インターフェースの前記初期化信号の変更によって止められる
ことを特徴とする請求項４に記載のデータ転送方法。
【請求項７】
前記少なくとも１つの移動通信装置は、入力データ信号を受け取ったときに前記ユーザ・インターフェースを活動化させる初期化信号を生成するように構成されており、
前記ユーザ・インターフェースの前記活動化は、前記ユーザ・インターフェースの前記初期化信号の消去によって止められる
ことを特徴とする請求項４に記載のデータ転送方法。
【請求項８】
前記ユーザ・インターフェースは、前記データの受信後に、前記見えない通信経路を提供するために、前記ユーザ・インターフェースによって前記ユーザに提供される指示シグナル（ｉｎｄｉｃａｔｉｏｎ  ｓｉｇｎａｌ）がユーザによって気付かれないように、活動化されることを特徴とする請求項１に記載のデータ転送方法。
【請求項９】
前記ユーザ・インターフェースによって提供された前記指示シグナルは、
音のシグナルがユーザに聞こえないようにその音の大きさが閾値より小さい音のシグナルと、
ユーザに触知シグナルを気付かせないようにその強さが閾値より低い触知シグナルと、
その強さが閾値より低い光のシグナルのような、目に見えるシグナルがユーザにとって目立たないような目に見える提示による、又は、少なくとも１つの移動通信装置の表示スクリーン上の目に見える提示であってその色は前記表示スクリーンの背景の色と同じである目に見える提示による、目に見えるシグナルと、
から構成されるグループの中から選択されたシグナルである
ことを特徴とする請求項８に記載のデータ転送方法。
【請求項１０】
前記第１のデータ変換機から前記少なくとも１つの移動通信装置にデータを転送する前記工程は、前記少なくとも１つの移動通信装置の中の少なくとも１つの第１の移動通信装置に前記データを転送する工程を有することを特徴とする請求項１乃至９のいずれか１項に記載のデータ転送方法。
【請求項１１】
前記少なくとも１つの第１の移動通信装置から前記少なくとも１つの第２のデータ変換機に前記データを転送する前記工程は、
前記少なくとも１つの第１の移動通信装置から前記少なくとも１つの移動通信装置の中の少なくとも１つの第２の移動通信装置に前記データを転送する工程と、
前記少なくとも１つの第２の移動通信装置から前記少なくとも１つの第２のデータ変換機に前記データを転送する工程と
を有することを特徴とする請求項１０に記載のデータ転送方法。
【請求項１２】
前記少なくとも１つの移動通信装置は、携帯電話機と携帯情報端末（ＰＤＡ）とから構成されるグループの中から選択された装置であることを特徴とする請求項１乃至１１のいずれか１項に記載のデータ転送方法。
【請求項１３】
前記第１のデータ変換機から前記少なくとも１つの移動通信装置に前記データを転送する前記工程は、第１のデータ通信チャネルを確立する工程を含むことを特徴とする請求項１乃至１２のいずれか１項に記載のデータ転送方法。
【請求項１４】
前記第１のデータ通信チャネルは、ブルートゥース・チャネルと、ＮＦＣ（ニア・フィールド・コミュニケーション）チャネルと、ＧＳＭ（グローバル・システム・フォー・モバイル・コミュニケーション）型チャネルと、ＧＰＲＳ（ゼネラル・パケット・ラジオ・サービス）型チャネルと、ＵＭＴＳ（ユニバーサル・モバイル・テレコミュニケーションズ・システム）型チャネルと、超広帯域無線通信（ウルトラ・ワイドバンド）と、ＣＤＭＡ（符号分割多重アクセス）と、赤外線光データ信号を伝送する光リンクのような光リンクと、幾つかの他のタイプの無線通信チャネルと、から構成されるグループの中から選択されたチャネルであることを特徴とする請求項１３に記載のデータ転送方法。
【請求項１５】
前記少なくとも１つの移動通信装置から前記少なくとも１つの第２のデータ変換機に前記データを転送する前記工程は、第２の通信チャネルを確立する工程を含むことを特徴とする請求項１乃至１４のいずれか１項に記載のデータ転送方法。
【請求項１６】
前記第２のデータ通信チャネルは、ブルートゥース・チャネルと、ＮＦＣ（ニア・フィールド・コミュニケーション）チャネルと、ＧＳＭ（グローバル・システム・フォー・モバイル・コミュニケーション）型チャネルと、ＧＰＲＳ（ゼネラル・パケット・ラジオ・フレキュエンシー）型チャネルと、ＵＭＴＳ（ユニバーサル・モバイル・テレコミュニケーションズ・システム）型チャネルと、超広帯域無線通信（ウルトラ・ワイドバンド）と、ＣＤＭＡ（符号分割多重アクセス）と、赤外線光データ信号を伝送する光リンクのような光リンクと、幾つかの他のタイプの無線通信チャネルと、から構成されるグループの中から選択されたチャネルであることを特徴とする請求項１３に記載のデータ転送方法。
【請求項１７】
前記データは、前記少なくとも１つの第２のデータ変換機において少なくとも１つの指示センセーション（ｉｎｄｉｃａｔｉｖｅ  ｓｅｎｓａｔｉｏｎ）に変換されることを特徴とする請求項１乃至１６のいずれか１項に記載のデータ転送方法。
【請求項１８】
前記少なくとも１つの指示センセーションは、
言葉、トーン音、又は音楽のシグナルのような音のシグナルと、
光のシグナル、色の変化、表示スクリーン上の表示、又は形状の変化のような目に見えるシグナルと、
振動、温度変化、又は形状の変化のような触知シグナルと、
臭いのシグナルのような他の知覚可能なシグナルと、
から構成されるグループの中から選択されるシグナルである
ことを特徴とする請求項１７に記載のデータ転送方法。
【請求項１９】
前記指示センセーションは、前記第２のデータ変換機のユーザによって事前にプログラムされていることを特徴とする請求項１７又は１８に記載のデータ転送方法。
【請求項２０】
前記データを、前記少なくとも１つの移動通信装置に送信する前記工程を開始させる入力シグナルを、前記第１のデータ変換機によって受け取る工程をさらに有することを特徴とする請求項１乃至１９のいずれか１項に記載のデータ転送方法。
【請求項２１】
前記入力シグナルを受け取る工程は、
メッセージを入力する工程と、
前記第１のデータ変換機に触れる、それを動かす、暖める、又は冷やすことによるような、前記第１のデータ変換機に接する工程と、
ホイッスル音又は口から出た言葉のシグナルの受け取りのような音のシグナルを受け取る工程と、
光のシグナルのような目に見えるシグナルを受け取る工程と、
から構成されるグループの中から選択される工程である
ことを特徴とする請求項２０に記載のデータ転送方法。
【請求項２２】
前記少なくとも１つの第２のデータ変換機から前記見えない通信経路を介して前記第１のデータ変換機に応答データを送信する工程をさらに有することを特徴とする請求項１乃至２１のいずれか１項に記載のデータ転送方法。
【請求項２３】
前記第１のデータ変換機に独自に接続される第２のデータ変換機の識別データを前記第１のデータ変換機によって取得する工程をさらに有することを特徴とする請求項１乃至２２のいずれか１項に記載のデータ転送方法。
【請求項２４】
請求項１乃至２３のいずれか１項に記載の方法にしたがって移動通信装置を切り替えるコンピュータ・プログラムであって、
前記コンピュータ・プログラムは、
前記第１のデータ変換機によって送信され前記移動通信装置によって受信された前記データを認識し、
前記ユーザに存在が気付かれない見えない通信経路が、データの転送のために、前記第１のデータ変換機と前記少なくとも１つの第２のデータ変換機との間に備えられるように、前記移動通信装置を切り替える
ように構成されることを特徴とするコンピュータ・プログラム。
【請求項２５】
前記データの受信又は送信時に、前記移動通信装置のユーザ・インターフェースの活動化が回避されるように、前記移動通信装置を切り替えるように構成されることを特徴とする請求項２４に記載のコンピュータ・プログラム。
【請求項２６】
前記データの受信又は送信時に、前記移動通信装置のユーザ・インターフェースの活動化が止められるように、前記移動通信装置を切り替えるように構成されることを特徴とする請求項２４に記載のコンピュータ・プログラム。
【請求項２７】
前記第１のデータ変換機からデータを受信する場合に、前記ユーザ・インターフェースによって前記ユーザに提供される指示シグナルがユーザによって気付かれないように、前記移動通信装置のユーザ・インターフェースを活動化させるように構成されることを特徴とする請求項２４に記載のコンピュータ・プログラム。
【請求項２８】
請求項１乃至２３のいずれか１項に記載の方法における第１のデータ変換機として使用されるデータ変換機であって、
入力シグナルの受け取りに応答してデータを生成する手段と、
前記データを他のデータ変換機に転送する移動通信装置に前記データを転送する手段とを有し、
前記データを生成する前記手段は、前記移動通信装置が認識することができるデータ識別マークを含むように構成される
ことを特徴とするデータ変換機。
【請求項２９】
メッセージと、前記データ変換機に触れることと、前記データ変換機を動かすことと、前記データ変換機の温度を変化させることと、光のシグナルのような目に見えるシグナルと、口から出た言葉又はホイッスル音のような音のシグナルと、から構成されるグループの中から選択される入力シグナルを受け取る手段をさらに有することを特徴とする請求項２８に記載のデータ変換機。
【請求項３０】
第２のデータ変換機として使用されるようにも構成されており、前記データを少なくとも１つの指示センセーションに変換する手段を有することを特徴とする請求項２８又は２９に記載のデータ変換機。
【請求項３１】
前記指示センセーションは、
言葉、トーン音、又は音楽のシグナルのような音のシグナルと、
光のシグナル、色の変化、表示スクリーン上の表示、又は形状の変化のような目に見えるシグナルと、
振動、温度変化、又は形状の変化のような触知シグナルと、
臭いのシグナルのような他の知覚可能なシグナルと、
から構成されるグループの中から選択されるシグナルである
ことを特徴とする請求項３０に記載のデータ変換機。
【請求項３２】
請求項１乃至２３のいずれか１項における第２のデータ変換機として使用されるデータ変換機であって、
少なくとも１つの移動通信装置から前記データを受信する手段と、
前記データを少なくとも１つの指示センセーションに変換する手段と
を有することを特徴とするデータ変換機。
【請求項３３】
前記指示センセーションは、
言葉、トーン音、又は音楽のシグナルのような音のシグナルと、
光のシグナル、色の変化、表示スクリーン上の表示、又は形状の変化のような目に見えるシグナルと、
振動、温度変化、又は形状の変化のような触知シグナルと、
臭いのシグナルのような他の知覚可能なシグナルと、
から構成されるグループの中から選択されるシグナルである
ことを特徴とする請求項３２に記載のデータ変換機。
【発明の詳細な説明】
【技術分野】
【０００１】
本発明は、第１のデータ変換機から少なくとも１つの第２のデータ変換機にデータを転送する方法であって、第１のデータ変換機から少なくとも１つの移動通信装置にデータを転送する工程を有し、その少なくとも１つの移動通信装置は該少なくとも１つの移動通信装置とユーザとの対話のためのユーザ・インターフェースを備え、少なくとも１つの移動通信装置から少なくとも１つの第２のデータ変換機にデータを転送する工程を有する方法に関するものである。
【０００２】
本発明は、また、移動通信装置を切り替えるコンピュータ・プログラムに関し、並びに、上述の方法において使用される第１及び第２のデータ変換機に関するものである。
【背景技術】
【０００３】
上述のようにデータを転送すること、それ自体は、既知である。通信産業において、例をあげて言えば、通信網（通信ネットワーク）に接続される、例えば、電話機を介して互いにデータを交換する機器（装置）が広く使用されている。これの適当な例は、パーソナル・コンピュータから発信されるデータを変換するモデムの使用であり、そのデータはその後、アナログ電話回線上を他のモデムに向けて伝送され、そして、他のモデムはそのデータを他のコンピュータに送る。モデムと電話機との間の接続は、有線接続とすることができ、又は、同様に無線接続とすることもできる。同じことが、使用される電話機と通信網との間の接続にも当てはまる。もしも必要ならば、例えば、ラップトップ・コンピュータをインターネット上のコンピュータと対話させるように、携帯電話機が使用されてもよい。
【発明の開示】
【０００４】
ユーザが、通信網上で使用される電話機を介する接続に依存していることに常に注意を払っているということは、そのような通信リンクの不都合な点である。（ユーザのパーソナル・コンピュータとインターネット上のコンピュータのように）第１の機器と第２の機器との間のデータの交換は、通信網上に形成されたリンクを介して行なわれる。
【０００５】
ユーザが、例えば、彼のラップトップ・コンピュータとインターネットとの間の接続を望むときに、この通信リンクがどのようにして確立されるかは、ユーザにとっておそらく無関係であろう。したがって、上述の例において、ユーザが彼の携帯電話機の使用に注意を払うという事実は、大きな不都合にはならない。しかし、もしもネットワークによる通信の内容が個人の感情的価値を持つ場合には、事情は違う。個人的性質のメッセージ又は個人的通知が、驚かすために受信者に提供されることになっている場合に、もしも受信者が通信の技術的に細かな事柄に注意を払わされるとしたならば、驚き効果は損なわれる。
【０００６】
そこで、本発明の目的は、ほとんど直接の個人的通信に近いデータ転送方法及び手段であって、上述の不都合を排除できるデータ転送方法及び手段を提供することにある。
【０００７】
これを達成するために、第１の態様において本発明は、第１のデータ変換機から少なくとも１つの移動通信装置にデータを転送する工程を有し、その少なくとも１つの移動通信装置は、該少なくとも１つの移動通信装置とユーザとの対話のためのユーザ・インターフェースを備え、前記少なくとも１つの移動通信装置から少なくとも１つの第２のデータ変換機にデータを転送する工程を有する、前記第１のデータ変換機から前記少なくとも１つの第２のデータ変換機にデータを転送する方法であって、前記第１のデータ変換機と前記少なくとも１つの第２のデータ変換機との間に通信経路が形成され、それはユーザに存在が気付かれない見えない通信経路であるように、前記少なくとも１つの移動通信装置は切り替えられるデータ転送方法を提供する。
【０００８】
第１のデータ変換機と少なくとも１つの第２のデータ変換機との間に、ユーザに存在が気付かれない見えない通信経路が形成されるように、少なくとも１つの移動通信装置を切り替えることによって、ユーザに、その通信を、第１のデータ変換機と少なくとも１つの第２のデータ変換機との間の直接の通信のように感じさせる。第２のデータ変換機は第１のデータ変換機のユーザからかなりの距離離れているかもしれないが、そのような直接の通信は、あたかも第１のデータ変換機のユーザが直接彼の気持ちを第２のデータ変換機を通して受信側のユーザに伝えることができるかのようになる点において、第１及び第２のデータ変換機のユーザ間の個人的通信を近づけるということができる。第１のデータ変換機から第２のデータ変換機へのメッセージであって、そのメッセージで第１のデータ変換機のユーザが第２のデータ変換機のユーザを驚かそうとしているものは、第２のデータ変換機のユーザに前記少なくとも１つの通信装置がこのメッセージの送信のために使用されたという事実を気付かせることなく、第２のデータ変換機において自発的に受信されるであろう。したがって、メッセージの個人的及び自発的な性質は、そのまま維持される。
【０００９】
このように、通信産業内における個人的通信に対して提供されるサービスの現在の水準を超える個人的通信の多くの異なる方式を容易にすることが可能になる。技術的手段によって影響を受ける感情的内容の程度は非常に低く、それどころか最小に低減される。
【００１０】
このように、例えば、第１のデータ変換機に接触することによって（例えば、第１のデータ変換機を擦ることによって又は第１のデータ変換機に話し向かって話すことによって）、第２のデータ変換機において指示センセーション（感覚（刺激）を引き起こすもの、ｉｎｄｉｃａｔｉｖｅ  ｓｅｎｓａｔｉｏｎ）を発生させられる、例えば、第１のデータ変換機及び第２のデータ変換機を提供することが可能になる。その指示センセーションは、第２のデータ変換機のユーザにとって高い感情的価値を意味するかもしれない。そのような指示センセーションは、例えば、音のシグナル（音の信号、音の合図）の再生、第２のデータ変換機を暖かくすること、又は、そのライトを点灯させ若しくは点滅させることから成ることもできる。
【００１１】
本発明の実施の形態においては、第１のデータ変換機によって受け取られる入力シグナル（入力信号）は、（例えば、口に出された言葉（スピーチ）による、又は、キーボードによる）メッセージ（伝言）の入力と、第１のデータ変換機に触れる、それを動かす、暖める、又は冷やすことのように、第１のデータ変換機に接触することと、口に出された言葉のシグナル（信号）又はホイッスル音のシグナル（信号）のような音のシグナル（信号）を受け取ることと、光のシグナル（信号）のような目に見えるシグナル（信号）を受け取ることと、から構成されるグループの中から選択されるシグナル（信号）とすることができる。明らかに、代わりの適当なシグナル（信号）も同様に使用されることができる。その入力シグナルは、技術的手段によってデータ変換機で観察できる、電気信号のような信号に変換されることができる。
【００１２】
他の実施の形態においては、少なくとも１つの第２のデータ変換機は、データを少なくとも１つの指示センセーションに変換するように構成されることができる。その指示センセーションは、例えば、言葉（スピーチ）、トーン音、又は音楽のシグナル（信号）のような音のシグナル（信号）と、光のシグナル、色の変化、表示スクリーン上の表示、又は形状の変化のような目に見えるシグナル（信号）と、振動、温度変化、又は形状の変化のような触知シグナル（信号）と、臭いのシグナル（信号）のような他の知覚可能なシグナル（信号）と、から構成されるグループの中から選択されるシグナル（信号）である。なお、形状の変化は、目に見えるシグナルとみなされることができるが、触知シグナルとみなされることもできる。他の指示センセーション（感覚（刺激）を引き起こすもの）、例えば、第１のデータ変換機のユーザから第２のデータ変換機のユーザに感情（エモーション）を転送するのに非常に適した指示センセーションが、第２のデータ変換機によって適用され得ることも明らかである。
【００１３】
本発明の他の実施の形態においては、第１のデータ変換機と第２のデータ変換機との間の通信は、第１のデータ変換機から第２のデータ変換機へのみ行なわれることができるだけでなく、同様にデータが第２のデータ変換機から第１のデータ変換機に転送されるようにする双方向通信も可能である。これにより、第１のデータ変換機のユーザと第２のデータ変換機のユーザとの間の双方向通信が可能になるという利点がある。
【００１４】
第１のデータ変換機と第２のデータ変換機との間の通信の個人的性質は、第１のデータ変換機が唯一の特定の第２のデータ変換機のみと通信するように構成され、且つ、第２のデータ変換機がこの第１のデータ変換機のみと通信することができるように構成されることによってさらに強化されることができる。この場合、第１のデータ変換機と第２のデータ変換機との組み合わせは唯一つであり、第２のデータ変換機で受信されたメッセージは、常に前記第１のデータ変換機から発信されたものである。当業者は、このことが、第１のデータ変換機と第２のデータ変換機との間の通信の感情的価値を非常に強めることを理解するであろう。
【００１５】
第１及び第２のデータ変換機が、各第１及び第２のデータ変換機から発信されたデータの配信のための配信先アドレスを内部に記憶する手段を備えることによって、上述の事項は実現できる。これらの手段は、例えば、第１のデータ変換機と第２のデータ変換機との唯一の組み合わせを与えるように、製造業者において予めプログラムされた半導体メモリで構成してもよいし、又は、第１のデータ変換機のユーザと第２のデータ変換機のユーザが、唯一の組み合わせを実現する第１のデータ変換機と第２のデータ変換機のそれぞれに、配信先アドレス又は識別コードを１度だけ入力することも可能である。
【００１６】
本発明の他の実施の形態においては、少なくとも１つの移動通信装置は、データの受信又は送信時に、前記見えない通信経路を提供するために、前記ユーザ・インターフェースの活動化（アクティベーション）が回避（バイパス）されるように、切り替えられてもよい。特に、例えば、少なくとも１つの移動通信装置は、入力データ信号を受け取ったときに前記ユーザ・インターフェースを活動化させる初期化信号（イニシャライズ信号）を生成するように構成されてもよい。少なくとも１つの移動通信装置は、第１のデータ変換機から前記データを受信したときに、前記初期化信号の生成を省くように、切り替えられてもよい。
【００１７】
これは、例えば、移動通信装置が、初期化信号が生成される前に第１のデータ変換機から発信されたデータを認識することによって実現することができる。その結果、第１のデータ変換機からの入力データは、移動通信装置のユーザ・インターフェースが活動化されないように移動通信装置を切り替えさせることができる。移動通信装置のユーザは、そのとき彼／彼女の移動通信装置を介して通信が行なわれたという事実に気付かせられない。
【００１８】
例えば、移動通信装置が、データの受信又は送信時に、ユーザ・インターフェースの活動化が止められるように移動通信装置が切り替えられる点において異なる方法で、第１のデータ変換機と第２のデータ変換機との間の通信を隠すことが可能になることも明らかである。この実施の形態においては、移動通信装置は、初期化信号を生成するが、それによってユーザ・インターフェースの一部分の動作が起こらないように移動通信装置が切り替えられる。
【００１９】
初期化信号は、例えば、それが認識できないようにその影響を妨害するように、又は、初期化信号が第１のデータ変換機からのデータの受信の後に続くということを、移動通信装置に除かせるように、修正されてもよい。後者の場合には、移動通信装置によるユーザ・インターフェースのスイッチ・オンは中断されることもある。それに関して何も動作しないように生成された初期化信号を消去することも可能である。
【００２０】
ユーザ・インターフェースの活動化を止めさせる他の方法は、例えば、少なくとも１つの移動通信装置によって第１のデータ変換機から、データの受信時に、ユーザ・インターフェースを一時的にスイッチ・オフすることの中に見つけることができる。もしもユーザ・インターフェースがスイッチ・オフされたならば、移動通信装置における初期化信号の発生は、移動通信装置のユーザ・インターフェースを介する指示シグナルの提供を生じさせないであろう。
【００２１】
本発明の上述の好ましい実施の形態は、データが第１のデータ変換機から受信又は送信されたという事実をユーザに警告することが、移動通信装置にとってはどのような方法でも全く不可能であるように、ユーザ・インターフェースを無能力にすることを目的としている。したがって、移動通信装置は、第１のデータ変換機から第２のデータ変換機へのデータの送信においてアクティブ・リンクを形成するが、それは通信経路において存在に気付かず見えない。第１のデータ変換機のユーザ及び第２のデータ変換機のユーザは、１つ又は複数の移動通信装置に接続された通信網の使用がなされているという思いを生じさせる感覚（フィーリング）なしに、第１のデータ変換機と第２のデータ変換機との間に確立されている見えない通信経路の形で、これを認めるであろう。それゆえ、通信の自発的な及び個人的な性質は維持される。
【００２２】
以上の点において、ユーザ・インターフェースの無能力化は、第１のデータ変換機から第２のデータ変換機に（又はその逆に）データを送信するために使用される移動通信装置の少なくとも１つのために実行されることは理解されるべきである。特に、これは、受信端、すなわち、通信経路における最終ステーションとして使用される移動通信装置において実行されるが、すべての移動通信装置にあてはまることが好ましい。
【００２３】
本発明のさらに他の実施の形態においては、ユーザ・インターフェースは、データの受信の後に活動化されるが、そのような方法によって、ユーザ・インターフェースによってユーザに提供される指示シグナルが、ユーザによって気付かれない。この実施の形態の利点は、移動通信装置の動作の方法がほとんど修正される必要がなく、単純な実際の手順がその後に引き続いて行なわれるという点である。
【００２４】
上述の実施の形態の具体的な例は、例えば、音のシグナルがユーザに聞こえないようにその音の大きさが閾値より小さい音のシグナル（音の信号、音の合図）と、ユーザに触知シグナルを気付かせないようにその強さが閾値より低い触知シグナル（触覚信号、触覚の合図）と、その強さが閾値より低い光のシグナルのような、目に見えるシグナルがユーザにとって目立たないような目に見える提示による、又は、少なくとも１つの移動通信装置の表示スクリーン上の目に見える提示であってその色は前記表示スクリーンの背景の色と同じである目に見える提示による、目に見えるシグナル（見える信号、見える合図）と、から構成されるグループの中から選択された前記指示シグナルの、前記ユーザ・インターフェースからの提供を有する。そのような指示シグナルは、ユーザに知られないであろう。したがって、移動通信装置のユーザにとっては、あたかも移動通信装置が宛先とされていないかのように思われるであろう。
【００２５】
上述されたように、少なくとも１つの移動通信装置は、移動経路を提供するために使用されることができる。好ましい実施の形態によれば、少なくとも２つの移動通信装置が使用され、データは第１のデータ変換機から第１の移動通信装置に転送され、そのデータは、第１の移動通信装置から第２の移動通信装置に通信網を介して伝送され、その後、前記第２の移動通信装置はそのデータを第２のデータ変換機に向けて通過させる。これにより、第１のデータ変換機のユーザ及び第２のデータ変換機のユーザは、これら２人が互いに大きく離れていても、データを第１のデータ変換機から第２のデータ変換機に伝送することが可能になる。そのデータは、第１の移動通信装置によって受信され、移動通信網を経由して第２の移動通信装置に伝送され、その後、第２のデータ変換機に転送される。これは、移動通信網における従来の方法によって行なわれることができ、例えば、第１のデータ通信チャネルは、例えば、ＧＳＭ（グローバル・システム・フォー・モバイル・コミュニケーション（ジーエスエム））、ＮＦＣ（ニア・フィールド・コミュニケーション（エヌエフシー））、ＵＭＴＳ（ユニバーサル・モバイル・テレコミュニケーションズ・システム（ユーエムティーエス））、ＧＰＲＳ（ゼネラル・パケット・ラジオ・サービス（ジーピーアールエス））、ＥＤＧＥ（エンハンスド・データ・レート・フォー・ＧＳＭ・エボリューション（エッジ））、Ｗ−ＣＤＭＡ（広帯域符号分割多重（ダブリュ・シーディーエムエイ））のようなＣＤＭＡ（符号分割多重（シーディーエムエイ））、又は、他の同様の通信プロトコルの、原理に基づく通信チャネルの確立によって、実行される。ここで、そのように望むならば、メッセージ提供サービスは、例えば、ＳＭＳ（ショート・メッセージ・サービス）、ＭＭＳ（マルチメディア・メッセージ・サービス）、又は、ＩＰ（インターネット・プロトコル）、が利用されてもよい。
【００２６】
いかなる適当な移動通信装置も、本発明による方法を実行するために使用されることができる。今日では、それは、特に、実際に人気のある、例えば、「スマート・フォン」又は「フィーチャー・フォン」、及び、携帯情報端末（ＰＤＡ、例えば、電子オルガナイザー）のような移動通信装置である。これらの移動通信装置は、本発明による方法において使用されるのに適している。
【００２７】
ある実施の形態においては、第１のデータ転送装置から少なくとも１つの移動通信装置へのデータの転送は、第１のデータ通信チャネルを確立する工程を有する。このデータ通信チャネルは、例えば、ブルートゥース・チャネルと、ＮＦＣ（ニア・フィールド・コミュニケーション）と、ＷＬＡＮ（無線ローカル・エリア・ネットワーク（無線ＬＡＮ））と、幾つかの他のタイプの無線リンクと、もしかすると、赤外線光データ信号の伝送のために使用されるような光リンクと、から構成されるグループの中から選択されたチャネルである。前記通信プロトコルは、（数十又は数百メートルの大きさである）近距離間通信に特に適している。
【００２８】
ＧＳＭチャネル、ＧＰＲＳ型チャネル（ゼネラル・パケット・ラジオ・サービス（ジーピーアールエス））、ＵＭＴＳチャネル（ユニバーサル・モバイル・テレコミュニケーションズ・システム（ユーエムティーエス））、又は、幾つかのそのような通信チャネルをも使用することができる。これらの通信チャネルは主に長距離間通信に適しているが、そのプロトコルは、第１のデータ変換機から少なくとも１つの移動通信装置に伝送するために使用されてもよい。特別な実施の形態においては、例えば、第１のデータ変換機は、同時に、携帯電話機又は携帯情報端末（ＰＤＡ）であり、それらによって、例えば、ＳＭＳメッセージ（ショート・メッセージ・サービス（エスエムセス））、又は、代わりにＭＭＳメッセージ（マルチメディア・メッセージ・サービス（エムエムセス））、又は、ＩＰプロトコル（インターネット・プロトコル（アイピー））に基づくデータ・ストリームは、ある識別コードにしたがって、移動通信装置に伝送される。移動通信装置は、第２のデータ変換機に接触するためのハンドリング・エージェント（取り扱い代行）として働く。ハンドリング・エージェントとしての役割を果たす移動通信装置のユーザ・インターフェースは、例えば、ユーザ・インターフェースのトリガリングを停止させ、又は、回避（バイパス）させる点において、非活動化される。
【００２９】
第１のデータ変換機から少なくとも１つの移動通信装置にデータを送信するのに適した同じ通信プロトコルは、少なくとも１つの移動通信装置から第２のデータ変換機にデータを送信するのにも適している。より短い距離のための好ましい実施の形態においては、これらは、ブルートゥース、ＮＦＣ（ニア・フィールド・コミュニケーション）、ＷＬＡＮ（無線ローカル・エリア・ネットワーク）、又は幾つかの他の無線通信プロトコル、又は赤外線放射によるデータ通信がある。より長い距離のためには、ＧＳＭ（グローバル・システム・フォー・モバイル・コミュニケーション（ジーエスエム））、ＧＰＲＳ（ゼネラル・パケット・ラジオ・サービス（ジーピーアールエス））、ＵＭＴＳ（ユニバーサル・モバイル・テレコミュニケーションズ・システム（ユーエムティーエス））、超広帯域、又は、Ｗ−ＣＤＭＡ（広帯域符号分割多重（ダブリュ・シーディーエムエイ））のようなＣＤＭＡ（符号分割多重（シーディーエムエイ））のような、適切な通信プロトコルが使用されることができる。
【００３０】
第２の態様によれば、本発明は、本発明の第１の態様に関する上述の方法にしたがって移動通信装置を切り替えるコンピュータ・プログラムを提供する。前記コンピュータ・プログラムは、第１のデータ変換機からの、移動通信装置によって受信されたデータを認識し、移動通信装置のユーザに存在を気付かせない見えない通信経路、すなわち、第１のデータ変換機と少なくとも１つの第２のデータ変換機との間の通信経路が提供されるように、移動通信装置を切り替えるように構成される。
【００３１】
第２の態様によるコンピュータ・プログラムは、本発明の第１の態様による方法に関して説明された方法でユーザ・インターフェースを非活動化するように構成されてもよい。そのコンピュータ・プログラムは、本発明の第１の態様に関しても説明されたように、ユーザ・インターフェースによってユーザに提供される指示シグナルは、ユーザによって知られないように、第１のデータ変換機からのデータの受信時に、移動通信装置のユーザ・インターフェースを活動化させるように構成されてもよい。
【００３２】
当業者は、上述したように移動通信装置を切り替えるコンピュータ・プログラムが、移動通信装置（例えば、その製造時）に直接組み込まれた集積回路においてコード化されたことを理解するであろう。また、移動通信装置を切り替えるために移動通信装置にコンピュータ・プログラムが伝送されるように、そのようなコンピュータ・プログラムは、データ・キャリア（データ記憶媒体）上に提供されてもよく、又は、幾つかの他の方法で入手可能にされてもよい。
【００３３】
第３の態様によれば、本発明は、本発明による方法において第１のデータ変換機として使用されるデータ変換機を提供する。その第１のデータ変換機は、入力シグナル（入力信号）の受け取りに応答してデータを生成する手段と、前記データを他のデータ変換機に転送する移動通信装置に前記データを転送する手段とを有し、前記データを生成する前記手段は、前記移動通信装置が認識することができる前記データ識別マークを含むように構成される。
【００３４】
第４の態様によれば、本発明は、本発明の第１の態様による方法において第２のデータ変換機として使用されるように構成されたデータ変換機を提供する。この第２のデータ変換機は、少なくとも１つの移動通信装置からデータを受信する手段と、前記データを少なくとも１つの指示センセーションに変換する手段とを有する。
【発明を実施するための最良の形態】
【００３５】
本発明は、決して限定的に解釈されてはならない本発明の具体的な実施の形態を参照して、また、以下の添付図面を参照して、より詳細に説明される。
図１は、本発明による方法を図示しており、
図２は、本発明によるデータ変換機を図示しており、
図３は、本発明のプロセス工程を表す図である。
【００３６】
図１は、第１のデータ変換機５と第２のデータ変換機６との間の通信経路を図示しており、その通信経路は、本発明による方法によって形成される。第１のデータ変換機５は、例えば、ユーザ１によって所有されており、第２のデータ変換機６は、例えば、ユーザ２によって所有されている。ユーザ１は、例えば、彼のパートナーであるユーザ２に、彼が彼女から離れている期間に、彼が彼女のことを思い続けていることを知らせたいかもしれない。第１のデータ変換機５は、ユーザ１の手の中に再度図示されており、第２のデータ変換機６は、ユーザ２の手の中に再度図示されている。
【００３７】
ユーザ１は、第１のデータ変換機５に入力シグナル（入力信号）を与えることによって、今、上述の感情を第２のデータ変換機６に送信したいことを示す。第１のデータ変換機５と第２のデータ変換機６とは、例えば、第１のデータ変換機５によって送信されるデータが、それらの最終宛先を常に第２のデータ変換機６とするように、且つ、逆も成立するように、互いに独自に接続されてもよい。
【００３８】
ユーザ１は、携帯電話機７を、例えば、身につけて所有する。ユーザ２は、当該瞬間に第２のデータ変換機６の近くにある携帯電話機１９を、同様に所有する。入力シグナル（例えば、上述の感情が通信されることの指示）の受け取り時に第１のデータ変換機によって生成されたデータは、例えば、第１のデータ変換機５がブルートゥース型の無線通信チャネルを開いているので、第１のデータ変換機５によって携帯電話機７に伝送される。
【００３９】
そのデータは、携帯電話機７によって受信され、第１のデータ変換機５から発せられたものとして認識される。携帯電話機７にインストールされている制御ソフトウェアは、第１のデータ変換機５からのデータの受信後に、携帯電話機７のユーザ・インターフェースが活動化されない（アクティベートされない）ことを保証する。これは、例えば、ユーザ・インターフェースの活動化が回避（バイパス）されることによって、又は、例えば、ユーザ・インターフェース（それは、データが受信されている事実がユーザに知らされることを通常は保証する。）を活動化させる初期化信号が生成されないことによって、若しくは、その代わりに、例えば、初期化信号が消去されることによって、実施されることができる。そのような初期化信号は、携帯電話機７がこの初期化信号に応答してユーザ・インターフェースを活動化させることを不可能にするように、変更され、又は、妨害されてもよい。例えば、第１のデータ変換機から発せられたデータの認識によって、携帯電話機が、ユーザ・インターフェースの活動化を不可能にするように、ユーザ・インターフェースのスイッチが完全に切られる（スイッチ・オフされる）ようにすることが可能である。また、ユーザ・インターフェースは正常に活動化されるが、携帯電話機にインストールされている制御ソフトウェアが、ユーザに知らせるユーザ・インターフェースを介して与えられる指示シグナル（ｉｎｄｉｃａｔｉｏｎ  ｓｉｇｎａｌ）が、それらがユーザに気付かれないように提供され又は表示されることを保証することも可能である。したがって、音のシグナル（音の信号、音の合図）が、例えば、ユーザによって聞かれないように、低い音量としてもよい。同様に、触知指示シグナル（触覚的な信号）及び目に見える指示シグナル（見える信号）を抑制し、それらをユーザに気付かせないことも可能である。
【００４０】
データを受信した後、携帯電話機７は、それらを無線通信チャネル１０を介して、通信網１３に接続される基地局１１に送信する。そして、そのデータは、基地局１５から無線接続１６を介して携帯電話機１９に伝送される。携帯電話機７と携帯電話機１９との間の通信は、従来型であってもよく、又は、この目的のために特別に定義された通信プロトコルに基づいて行なわれてもよい。当業者は、第１の携帯電話機７と第２の携帯電話機１９との間の通信経路の部分の設定の仕方を知っている。
【００４１】
携帯電話機１９でデータを受信すると、携帯電話機１９にインストールされている制御ソフトウェアは、携帯電話機のユーザ・インターフェースを非活動化させるか、又は、ユーザにデータの受信を知らせる指示シグナルがユーザに知られないように活動化させるかすることを、再び保証するであろう。したがって、ユーザ２は、彼女の電話機１９の状態から、彼女へのメッセージが彼女の恋人１からの途中であることを、推測することはできない。
【００４２】
その後、携帯電話機１９は、第１のデータ変換機からのデータを、無線リンク２０を介して第２のデータ変換機６に通過させる。なお、無線リンクは、例えば、ブルートゥース型である。
【００４３】
データは、第２のデータ変換機６で受信され、そして、そのデータに基づく出力シグナル（出力信号、出力合図）をユーザ２に与えるように、第２のデータ変換機６の中で変換される。出力シグナルは、例えば、指示センセーションから構成される。指示センセーションは、例えば、言葉、トーン音、又は音楽のシグナルのような音のシグナルと、光のシグナル、色の変化、表示スクリーン上の表示、又は形状の変化のような目に見えるシグナルと、振動、温度変化、又は形状の変化のような触知シグナルと、臭いのシグナルの生成と、から構成されるグループの中から選択されるシグナルである。ユーザ２は、ユーザ１によって送られた感情（エモーション）である、受け取られた指示センセーションを体験するであろう。例えば、ユーザ１は、彼の第１のデータ変換機を擦り、その結果、第２のデータ変換機６が暖かくなり、それは、受け取った感情としてユーザ２によって解釈される。感情を転送する他のモードも、本方法によって明らかに可能である。
【００４４】
第１のデータ変換機５と第２のデータ変換機６との間の通信経路は存在を気付かせない（見えない、透明性を有する）ので、通信の自発的な及び個人的な性質は保持される。
【００４５】
図２は、例えば、本発明によるデータ転送方法において使用されることができる第１のデータ変換機２４を示している。第１のデータ変換機２４は、第１のデータ変換機２４に対して誰かが息を吹きかけることを検知することができる触覚センサ２６を有している。触覚センサ２６は、触覚センサ２６からのシグナルを受信すると直ぐにブルートゥース・アダプタ２８を駆動させる中央演算装置２７に接続されている。ブルートゥース・アダプタ２８は、通信アンテナ３０に接続されている。中央演算装置２７は、触覚センサ２６の出力信号に基づくデータを生成し、そのデータは、例えば、第１のデータ変換機２４から生じるこのデータを識別する識別信号を含む。その後、これらのデータは、ブルートゥース・アダプタ２８と通信アンテナ３０によって無線でブルートゥース・チャネル上を、例えば、移動通信装置（図２には示されていない。）に送信される。
【００４６】
逆に、入力データ信号は、同じブルートゥース・チャネルによって通信アンテナ３０を介して受信され、ブルートゥース・アダプタ２８によって中央演算装置２７に与えられることができる。ブルートゥース・アダプタ２８からのデータの受信時に、中央演算装置２７は、適切な手段（３１，３２，３３）を活動化させ指示センセーションを提供する。これは、例えば、音のシグナル又は言葉（スピーチ）のシグナル（例えば、データ変換機２４が独自に接続される他の同様のデータ変換機のユーザの声）、を生成するラウドスピーカ３１であってもよい。また、中央演算装置は、光のシグナルを提供するように、例えば、発光ダイオード又は何らかの他の光源３２を起動させてもよい。さらに、例えば、データ変換機２４を振動開始させる、又は、暖かくすることを保証する、例えば、アクチュエータ３３を起動させることも可能である。
【００４７】
図３は、本発明による方法における工程を図示している。工程３５において、ユーザは、例えば、破線のボックス（囲み線）３６によって概略的に示される第１のデータ変換機に入力シグナルを入力する（プロセス工程３７，３８，及び３９はすべてデータ変換機３６内において行なわれる）。工程３７において、データ変換機３６は、入力シグナルを受け取る。工程３８において、データ変換機は、受け取った入力シグナルに基づくデータを生成する。そのデータは、例えば、生成されたデータがデータ変換機３６から発信されたことを識別する識別データを有する。工程３９において、そのデータは、データ変換機３６によって、例えば、破線のボックス（囲い線）４０によって図示される携帯電話機又はＰＤＡに送信される。この目的のため、データ変換機３６と移動通信装置４０との間のデータ交換のための、例えば、ブルートゥース・チャネルが確立される。
【００４８】
工程４１において、伝送されたデータは、ブルートゥース・チャネルを介して移動通信装置４０において受信される。判定工程４４は、データがデータ変換機３６から発したかを判定するためのものであり、もしもそうでない場合には、例えば、初期化信号が生成されるであろう。データ変換機３６から来ない受信データの扱いは、矢印４６によって示される従来の手法において行なわれる（これは、詳細に説明されないが、当業者には一般的である）。
【００４９】
しかし、工程４４において、もしもデータがデータ変換機３６から発信されたことが確認されたなら、ユーザ・インターフェースのための初期化信号は生成されず、代わりに、データは、工程４７においてデータ変換機４８を通過するであろう。本件の場合には、唯１つの移動通信装置が使用されているが、工程４７において、データは、例えば、他の移動通信装置からデータ変換機４８にデータが伝送されるように、他の移動通信装置、例えば、通信網上の他の移動通信装置、を通過させられることも可能である。
【００５０】
工程４９において、データは、データ変換機４８において受信され、出力シグナルに変換される。工程５０において、この出力シグナルは、矢印５１によって概略的に示されるように、受信ユーザに供給される。
【００５１】
図示された実施の形態は、本発明による方法、第１及び第２のデータ変換機、及び移動通信装置のための制御プログラムによって実行された工程を図解するためのものに過ぎない。したがって、図示され説明された実施の形態は本発明を決して限定するものではないことは明らかである。
【図面の簡単な説明】
【００５２】
【図１】本発明による方法を図示している。
【図２】本発明によるデータ変換機を図示している。
【図３】本発明のプロセス工程を表す図である。
【図１】
2009506711.tif 000003
【図２】
2009506711.tif 000004
【図３】
2009506711.tif 000005
【国際調査報告】
2009506711.tif 000006
2009506711.tif 000007
2009506711.tif 000008